(57)【特許請求の範囲】
【請求項１】
排水具と、
排水具に取り付けられ、他の部材との水密化を行うパッキンを備えた止水構造において、
パッキンは弾性を有するヒレ部を備え、
上記排水具又はパッキンは、変形したヒレ部と当接する当接面を備え、
当該ヒレ部が排水具やパッキン自体に張り付くことを防ぐ張り付き防止機構を備え、
張り付き防止機構は、当接面に対し、当該当接面の外側と繋がる隙間を形成することを特徴とする止水構造。
【請求項２】
上記張り付き防止機構が溝部であることを特徴とする請求項１に記載の止水構造。
【請求項３】
上記張り付き防止機構が突起部であることを特徴とする請求項１に記載の止水構造。
【請求項４】
上記張り付き防止機構が、
排水具に設けられていることを特徴とする請求項１乃至請求項３のいずれか１つに記載の止水構造。
【請求項５】
上記張り付き防止機構が、
パッキンに設けられていることを特徴とする請求項１乃至請求項４のいずれか１つに記載の止水構造。
【請求項６】
上記排水具が、槽体の排水口を開閉する弁体であって、
当該弁体は、弁体に押動操作が加わる毎に、弁体の上昇状態と下降状態を切り換えるロック機構を備えることを特徴とする請求項１乃至請求項５のいずれか１つに記載の止水構造。
【発明の詳細な説明】
【技術分野】
【０００１】
本発明は、排水配管における止水構造に関するものである。
【背景技術】
【０００２】
従来、排水配管における止水構造としては、排水具に取り付けられたゴム等の弾性部材から成るパッキンを用いたものが知られている。当該パッキンを用いた止水構造においては、パッキンが排水栓や他の配管と密着することによって止水を行う。
【０００３】
図１５に示す止水構造は、排水具としての弁体と、弁体に取り付けられたパッキンによる止水構造である。
上記弁体は周囲にパッキンが嵌着された蓋体であり、下方にスラストロック機構と呼ばれるロック機構を備えている。
スラストロック機構はロック軸、回転ギア、固定ギア、及びスプリングを備えており、回転ギアと固定ギアが噛合することで、押動操作毎に弁体の上昇状態と下降状態を切り替えることができる。ロック軸は弁体の裏面に嵌合しており、弁体に加えられた押動操作に基づいて上下動する。回転ギアはロック軸の中程に配置され、ロック軸の上下動に対して従動するが、ロック軸に対して回動自在となっている。固定ギアは上部ギア及び下部ギアから構成されており、上部ギア及び下部ギアは回転ギアを所定角度回転させる傾斜歯を備え、上部ギアは回転ギアと噛合する係止歯を備えている。
【０００４】
上記従来の止水構造の動作について以下に説明する。
【０００５】
まず、弁体が上昇している状態より、直接弁体に押動操作が加えられると、当該押動操作に伴いロック軸及び回転ギアが押し下げられる。この時、回転ギアは当該押し下げによって下部ギアの傾斜歯と摺接し、所定角度回転する。そして、押動操作が終了すると、ロック軸及び回転ギアはスプリングの反発によって若干上昇するが、上昇した回転ギアは上部ギアの傾斜歯に押し付けられて摺接し、更に所定角度回転するとともに係止歯と噛合する。この時、当該噛合によって弁体は当初の状態よりも下降した下降状態が保持されるとともに、弁体に取り付けられたパッキンが排水口と密接することによって排水口は止水状態となる。
上記弁体の下降状態より、再び弁体に押動操作が加えられると、ロック軸及び回転ギアが押し下げによって回転ギアが下部ギアの傾斜歯と摺接し、回転ギアが再び所定角度回転することで上部ギアとの噛合が解除される。この時、弁体はスプリングの反発によって上昇するとともに、パッキンが排水口より離間し、止水状態が解除される。
即ち、上記止水構造は押動操作毎にスラストロック機構が弁体の上昇状態と下降状態を切り替えることで排水口の開閉を行うものである。
【０００６】
ここで、図１６に示すように、上記止水構造は上述の通り、弁体は最大まで押し下げられた後、回転ギアと上部ギアが噛合する高さまで若干上昇しなければ下降状態が保持されない。（図１６においては、弁体が最大まで下降した状態を２点鎖線にて示している。）
従って、パッキンは弁体が最大まで下降した状態から、回転ギアと上部ギアが噛合する高さ位置までの高さＨを吸収しなければ止水を行うことができない。そのため、従来の止水構造のパッキンは可撓性を有するヒレ部を備えており、排水口の周縁した際に当該ヒレ部が反り返るように変形し、上記高さＨを吸収している。
【０００７】
又、パッキンを用いた止水構造としては、上記の他、図１７に示すように、排水具としての止水蓋と、止水蓋に取り付けられたパッキンによる止水構造が知られている。当該止水蓋は周囲にパッキンが嵌着された蓋部材であり、排水口上に載置されることによってパッキンが排水口周縁と密着し、止水を行う構造となっている。
【先行技術文献】
【特許文献】
【０００８】
【特許文献１】特開平１０-１６５３２２号公報
【特許文献２】特開平８-６８０９１号公報
【発明の概要】
【発明が解決しようとする課題】
【０００９】
上記従来の止水構造の内、弁体による止水構造においては、弁体の下降の際等、パッキンのヒレ部が大きく変形した時、ヒレ部が弁体又はパッキン自身に当接することがある。この時、図１８に示すように、ヒレ部と当接面が全周に亘りが隙間無く密着することでヒレ部と当接面との間が真空状態となり、変形したヒレ部が当接面に張り付いて元に戻らなくなるという問題が生じた。当該状態においては、弁体が下降状態にあってもパッキンが排水口周縁から離間したままとなり、排水口の止水を行うことが不可能となる。
尚、上記問題は、特に槽体内に湯水が貯留されている状態で弁体を押し込んだ際、水の表面張力がヒレ部と当接面との間に働くことで生じ易い。
【００１０】
又、上記問題はロック機構がスラストロック機構である場合に限られるものではなく、特許文献１に記載のワンウェイカム等、その他のカム構造を利用したロック機構に換えた場合においても同様の問題が生じるものである。
【００１１】
又、図１９に示すように、上記問題は止水蓋による止水構造においても生じるものである。特に、材質や形状等が異なる槽体の止水が可能な止水蓋においては、排水口の形状差を吸収するためにヒレ部が大きく変形するよう構成していることから、特に顕著に上記問題が生じる。
【００１２】
本発明は上記問題に鑑み発明されたものであって、可撓性を有するヒレ部を備えたパッキンを用いた止水構造において、ヒレ部が当接面に張り付いてしまうことによる止水不良を防止する止水構造の提供を目的とする。
【課題を解決するための手段】
【００１３】
請求項１に記載の本発明は、排水具と、
排水具に取り付けられ、他の部材との水密化を行うパッキンを備えた止水構造において、
パッキンは弾性を有するヒレ部を備え、
上記排水具又はパッキンは、変形したヒレ部と当接する当接面を備え、
当該ヒレ部が排水具やパッキン自体に張り付くことを防ぐ張り付き防止機構を備え、
張り付き防止機構は、当接面に対し、当該当接面の外側と繋がる隙間を形成することを特徴とする止水構造である。
【００１４】
尚、上記「当該ヒレ部が排水具やパッキン自体に張り付く」とは、ヒレ部が排水具やパッキン自体に当接し、当該当接状態のまま元に戻らなくなってしまうことを指すものであり、単に隙間無く当接することのみを指すものでない。
【００１５】
請求項２に記載の本発明は、上記張り付き防止機構が溝部であることを特徴とする請求項１に記載の止水構造である。
【００１６】
尚、上記「溝部」は溝条、凹部、段差による溝等を含むものであり、他の部分より凹んでいる場合には「溝部」に含まれる。
【００１７】
請求項３に記載の本発明は、上記張り付き防止機構が突起部であることを特徴とする請求項１に記載の止水構造である。
【００１８】
尚、上記「突起部」は突条、凸部、段差による突起等を含むものであり、他の部分より突出している場合には「突起部」に含まれる。
又、張り付き防止機構は「溝部」と上記「突起部」の両方によって形成されていても良いものである。
【００１９】
請求項４に記載の本発明は、上記張り付き防止機構が、
排水具に設けられていることを特徴とする請求項１乃至請求項３のいずれか１つに記載の止水構造である。
【００２０】
請求項５に記載の本発明は、上記張り付き防止機構が、
パッキンに設けられていることを特徴とする請求項１乃至請求項４のいずれか１つに記載の止水構造である。
【００２１】
請求項６に記載の本発明は、上記排水具が、槽体の排水口を開閉する弁体であって、
当該弁体は、弁体に押動操作が加わる毎に、弁体の上昇状態と下降状態を切り換えるロック機構を備えることを特徴とする請求項１乃至請求項５のいずれか１つに記載の止水構造である。
【発明の効果】
【００２２】
請求項１に記載の本発明によれば、止水構造が張り付き防止機構を備えることにより、ヒレ部が排水具やパッキン自体に張り付いてしまうことによる止水不良を防ぐことが可能となる。又、張り付き防止機構が当接面に形成されていることにより、ヒレ部の張り付きをより効果的に防ぐことが可能となる。
請求項２乃至請求項５に記載の本発明によれば、張り付き防止機構の具体的な形状や位置を示すことができる。
又、上記請求項１乃至請求項５に記載の本発明は、請求項６に示すように、ロック機構を備える弁体に対して特に有用である。
【図面の簡単な説明】
【００２３】
【図１】第一実施形態の施工状態を示す断面図及び要部拡大図である。
【図２】弁体を示す（ａ）断面図（ｂ）（ａ）のＡ-Ａ’断面図である。
【図３】弁体の上昇状態を示す断面図である。
【図４】弁体が押し下げられ、パッキンが大きく変形している状態を示す断面図である。
【図５】スラストロック機構の動作を示す参考図である。
【図６】弁体の下降状態を示す断面図である。
【図７】第二実施形態の施工状態を示す断面図及び要部拡大図である。
【図８】弁体を示す（ａ）断面図（ｂ）（ａ）のＡ-Ａ’断面図である。
【図９】弁体の上昇状態を示す断面図である。
【図１０】弁体が押し下げられ、パッキンが大きく変形している状態を示す断面図である。
【図１１】スラストロック機構の動作を示す参考図である。
【図１２】弁体の下降状態を示す断面図である。
【図１３】第三実施形態に係る弁体を示す（ａ）断面図（ｂ）（ａ）のＡ-Ａ’断面図である。
【図１４】第四実施形態を示す分解断面図である。
【図１５】従来の止水構造を示す断面図である。
【図１６】従来の止水構造における弁体の下降状態を示す断面図である。
【図１７】その他の止水構造を示す分解断面図である。
【図１８】パッキンが当接面に張り付いた状態を示す断面図である。
【図１９】その他の止水構造においてパッキンが当接面に張り付いた状態を示す断面図である。
【発明を実施するための形態】
【００２４】
以下に、本発明の止水構造を、図面を参照しつつ説明する。尚、以下に記載する説明は実施形態の理解を容易にするものであり、これによって本発明が制限して理解されるものではない。又、以下の実施形態においては、特に断りの無い限り図１に示す施工状態を基準として上下左右及び部材同士の位置関係を説明する。
【００２５】
本実施形態は図１乃至図６に示すように、排水具としての弁体５によって、槽体Ｂに形成された排水口１の止水を行う止水構造である。
【００２６】
槽体Ｂは上方が開放された箱状の洗面ボウルであり、底面に形成された開口に排水栓２が取り付けられている。
排水栓２は上端に鍔部を有する筒状部材であって、その内部において、槽体Ｂからの排水を排出する排水口１が形成されており、筒状部分の外周には雄螺子が螺刻されている。又、排水栓２の筒状部分は上記槽体Ｂ底面に形成された開口に挿通され、槽体Ｂの裏面に配置された接続配管３と螺合されている。接続配管３は上流側に螺刻された雌螺子によって排水栓２下端と螺合されているとともに、その下流側はナット及びパッキンを用いて排水トラップ（図示せず）と接続されている。
排水トラップは側面視略Ｓ字状に屈曲した配管部材であり、屈曲部分において内部に流入した排水の一部を貯留可能となっている。排水トラップは当該排水が排水流路の一部を満水状態とすることによって封水を形成し、下流側からの臭気や害虫の逆流を防ぐことができる。
【００２７】
弁体５は周囲にパッキン７が嵌着されているとともに、ロック機構としてのスラストロック機構１０の上端が裏面に取り付けられた蓋部材であり、上記排水栓２上端とパッキン７が密接することによって排水口１を水密に閉塞する。
【００２８】
図２に示すように、弁体５は裏面において上記パッキン７が弾性変形した際に当接する当接面９を備え、当該当接面９には張り付き防止機構として溝部６が複数箇所形成されている。溝部６は当接面９において１２０度毎に３箇所形成された溝条であり、弁体５の中央から外周に向けて放射状に延設されている。尚、溝部６の外端はパッキン７の外径よりも外側に配置されている。
【００２９】
パッキン７はゴムやシリコン等の弾性部材から成り、平面視略円形であって、外周側にヒレ部８を備えている。ヒレ部８はパッキン７の外周部分において延設された肉薄の環状部分であり、排水栓２と当接した際に弾性変形する程度の可撓性を備えている。尚、図３に示すように、ヒレ部８の上面側は、平時において当接面９とは当接していない。一方、図４に示すように、当該ヒレ部８の上面側は、ヒレ部８が大きく変形した際に反り返り、当接面９に形成された突起部２５と当接する。
【００３０】
スラストロック機構１０はケーシング１１内部に配置又は形成されたロック機構であって、ロック軸１２、回転カム１３、固定カム１５、カム溝１８、スプリング１９より成り、外周には目皿２１が形成されている。尚、図５は発明の理解を容易にするための参考図であって、スラストロック機構１０の回転カム１３、固定カム１５等を展開して記載している。
ロック軸１２はスラストロック機構１０の中心を貫通する軸部であって、その上端は弁体５の裏面に嵌合されており、スプリング１９の反発によって上方へ向けて付勢されている。又、ロック軸１２はその中程において、回転カム１３が回動可能に取り付けられている。
回転カム１３はロック軸１２の軸方向の動作には従動するとともに、ロック軸１２を軸として回動自在に取り付けられたカム部材であり、その周囲において所定間隔毎に略三角形状の回転歯１４が形成されている。
固定カム１５は上部ギア１６及び下部ギア１７より成る。上部ギア１６はケーシング１１の内周に形成されており、回転カム１３を回転させる鋸刃状の傾斜歯１６ａと、回転カム１３と噛合する係止歯１６ｂを備えている。下部ギア１７はケーシング１１の下端から挿入された下部部材２０の上端全周に亘って形成され、回転カム１３を回転させる鋸刃状の傾斜歯１７ａを備えている。
カム溝１８は上部ギア１６の間において、ケーシング１１の軸方向に対して所定間隔毎に延設された溝状部分である。
スプリング１９は金属製の弾性部材であって、その下端が下部部材２０と当接し、ロック軸１２を上方へ向けて付勢している。
目皿２１の槽体Ｂから流入する排水中に混入する毛髪等を捕集する網目状の捕集部を有し、その外径は排水栓２の内径と略同一である。
【００３１】
上記各部材より構成された止水構造は、以下のように作動する。
【００３２】
まず、図３に示すように、弁体５が上昇している状態にある時、回転カム１３の回転歯１４はカム溝１８内に配置されている。この状態において、回転カム１３及び固定カム１５は噛合しておらず、ロック軸１２の上端と嵌合されている弁体５はスプリング１９の反発によって上昇状態が保持されている。又、弁体５の上昇時において、パッキン７は排水口１の周縁より離間している。
上記上昇状態にある弁体５に対して直接押動操作が加えられると、当該押動操作に伴い弁体５、ロック軸１２及び回転カム１３が押し下げられる。そして、回転カム１３の回転歯１４は当該押し下げによって下部ギア１７の傾斜歯１７ａと摺接し、所定角度回転する。この時、図４に示すように、パッキン７のヒレ部８は排水栓２の上面と当接することによって上方へ向けて反り返り、ヒレ部８の上面が弁体５の当接面９と当接する。しかし、当接面９には張り付き防止機構としての溝部６が形成されているため、真空状態にならない。
上記押動操作が終了すると、ロック軸１２及び回転カム１３はスプリング１９の反発によって上昇する。そして、回転カム１３の回転歯１４は当該スプリング１９の反発によって上部ギア１６の傾斜歯１６ａに押し付けられて摺接することで所定角度回転するとともに、係止歯１６ｂと噛合する。（図５（ａ））この時、弁体５は図４から図６に示す状態へと移行し、弁体５は回転カム１３と固定カム１５（上部ギア１６）の噛合によって下降状態が保持される。又、この時ヒレ部８は排水栓２との当接しつつ漸次変形することにより、パッキン７と排水口１の周縁（排水栓２）との密接を維持し続ける。即ち、パッキン７は可撓性を有するヒレ部８が弾性変形することにより、弁体５が最大まで下降した状態から、回転カム１３と上部ギア１６が噛合する高さ位置までの高さＨを吸収する。尚、図６においては、弁体５が最大まで下降した際の弁体５の位置を２点鎖線にて示している。
【００３３】
上記弁体５の下降状態より、再び弁体５に押動操作が加えられると、ロック軸１２及び回転カム１３が押し下げられて回転カム１３の回転歯１４が下部ギア１７の傾斜歯１７ａと摺接し、所定角度回転することで上部ギア１６の係止歯１６ｂとの噛合が解除される。この時、弁体５は再び図４に示す状態となり、ヒレ部８は排水栓２に押し付けられることによって大きく変形するが、当接面９には溝部６が形成されているため、例え槽体Ｂ内に湯水が貯留されている状態で弁体５に押動操作が加えられたとしてもヒレ部８が弁体５の当接面９に張り付いたままになってしまうことはない。
上記押動操作が終了すると、ロック軸１２及び回転カム１３はスプリング１９の反発によって上昇するとともに、回転カム１３の回転歯１４は上部ギア１６の傾斜歯１６ａに押し付けられて摺動し、カム溝１８内へと収納される（図５（ｂ））ため、弁体５はスプリング１９の付勢によって上昇状態が保持される。又、パッキン７は排水栓２より離間し、排水口１が開口されるが、当該パッキン７は突起部２５によって当接面９との張り付きが防止されているため、当接面９に張り付くことなく元の状態へと復帰することができる。
【００３４】
本発明の第一実施形態は以上のように、スラストロック機構１０によって弁体５の上昇状態と下降状態を切り替える構造である。従って、図５及び図６に示すように、弁体５を下降状態に切り換える時、弁体５は最大まで押し下げられた後に、回転カム１３の回転歯１４と上部ギア１６の係止歯１６ｂが噛合する高さ位置までの高さＨ分、上昇する。しかし、本発明はパッキン７が可撓性を有するヒレ部８を備え、当該ヒレ部８が弾性変形することにより、当該高さＨを吸収し、弁体５が排水口１の閉塞状態を維持することができる。
そして、当該弾性変形時において、ヒレ部８の上面と弁体５の当接面９とが当接することがあっても、当接面９には張り付き防止機構として溝部６が形成されていることから、ヒレ部８が当接面９に張り付いたままとなることを防ぐことができる。尚、槽体Ｂ内に湯水が貯留されている状態で弁体５に押動操作が加えられたとしても、溝部６によって僅かな隙間が形成されているため、ヒレ部８上面と当接面９との間に侵入した湯水等は当該隙間より排出され、表面張力による真空状態が生じることはない。又、溝部６の外端はパッキン７の外径よりも外側に配置されているため、ヒレ部８が弾性変形した際、当接面９との間に必ず隙間を形成することが可能となる。
【００３５】
以下に、本発明の第二実施形態について説明する。
【００３６】
本実施形態は図７乃至図１２に示すように、排水具としての弁体５によって、槽体Ｂに形成された排水口１の止水を行う止水構造である。
【００３７】
槽体Ｂは上方が開放された箱状の洗面ボウルであり、底面に形成された開口に排水栓２が取り付けられている。
排水栓２は上端に鍔部を有する筒状部材であって、その内部において、槽体Ｂからの排水を排出する排水口１が形成されており、筒状部分の外周には雄螺子が螺刻されている。又、排水栓２の筒状部分は上記槽体Ｂ底面に形成された開口に挿通され、槽体Ｂの裏面に配置された接続配管３と螺合されている。接続配管３は上流側に螺刻された雌螺子によって排水栓２下端と螺合されているとともに、その下流側はナット及びパッキンを用いて排水トラップ（図示せず）と接続されている。
排水トラップは側面視略Ｓ字状に屈曲した配管部材であり、屈曲部分において内部に流入した排水の一部を貯留可能となっている。排水トラップは当該排水が排水流路の一部を満水状態とすることによって封水を形成し、下流側からの臭気や害虫の逆流を防ぐことができる。
【００３８】
弁体５は周囲にパッキン７が嵌着されているとともに、ロック機構としてのスラストロック機構１０の上端が裏面に取り付けられた蓋部材であり、上記排水栓２上端とパッキン７が密接することによって排水口１を水密に閉塞する。
【００３９】
図７に示すように、弁体５は裏面において上記パッキン７が弾性変形した際に当接する当接面９を備え、当該当接面９には張り付き防止機構として突起部２５が複数箇所形成されている。突起部２５は当接面９において１２０度毎に３箇所形成された突条であり、弁体５の中央から外周に向けて放射状に延設されている。尚、突起部２５の外端はパッキン７の外径よりも外側に配置されている。
【００４０】
パッキン７はゴムやシリコン等の弾性部材から成り、平面視略円形であって、外周側にヒレ部８を備えている。ヒレ部８はパッキン７の外周部分において延設された肉薄の環状部分であり、排水栓２と当接した際に弾性変形する程度の可撓性を備えている。尚、図９に示すように、ヒレ部８の上面側は、平時において当接面９とは当接していない。一方、図１０に示すように、当該ヒレ部８の上面側は、ヒレ部８が大きく変形した際に反り返り、当接面９に形成された突起部２５と当接する。
【００４１】
スラストロック機構１０はケーシング１１内部に配置又は形成されたロック機構であって、ロック軸１２、回転カム１３、固定カム１５、カム溝１８、スプリング１９より成り、外周には目皿２１が形成されている。尚、図１１は発明の理解を容易にするための参考図であって、スラストロック機構１０の回転カム１３、固定カム１５等を展開して記載している。
ロック軸１２はスラストロック機構１０の中心を貫通する軸部であって、その上端は弁体５の裏面に嵌合されており、スプリング１９の反発によって上方へ向けて付勢されている。又、ロック軸１２はその中程において、回転カム１３が回動可能に取り付けられている。
回転カム１３はロック軸１２の軸方向の動作には従動するとともに、ロック軸１２を軸として回動自在に取り付けられたカム部材であり、その周囲において所定間隔毎に略三角形状の回転歯１４が形成されている。
固定カム１５は上部ギア１６及び下部ギア１７より成る。上部ギア１６はケーシング１１の内周に形成されており、回転カム１３を回転させる鋸刃状の傾斜歯１６ａと、回転カム１３と噛合する係止歯１６ｂを備えている。下部ギア１７はケーシング１１の下端から挿入された下部部材２０の上端全周に亘って形成され、回転カム１３を回転させる鋸刃状の傾斜歯１７ａを備えている。
カム溝１８は上部ギア１６の間において、ケーシング１１の軸方向に対して所定間隔毎に延設された溝状部分である。
スプリング１９は金属製の弾性部材であって、その下端が下部部材２０と当接し、ロック軸１２を上方へ向けて付勢している。
目皿２１の槽体Ｂから流入する排水中に混入する毛髪等を捕集する網目状の捕集部を有し、その外径は排水栓２の内径と略同一である。
【００４２】
上記各部材より構成された止水構造は、以下のように作動する。
【００４３】
まず、図９に示すように、弁体５が上昇している状態において、回転カム１３の回転歯１４はカム溝１８内に配置されている。この状態において、回転カム１３及び固定カム１５は噛合しておらず、ロック軸１２の上端と嵌合されている弁体５はスプリング１９の反発によって上昇状態が保持されている。又、弁体５の上昇時において、パッキン７は排水口１の周縁より離間している。
上記上昇状態にある弁体５に対して直接押動操作が加えられると、当該押動操作に伴い弁体５、ロック軸１２及び回転カム１３が押し下げられる。そして、回転カム１３の回転歯１４は当該押し下げによって下部ギア１７の傾斜歯１７ａと摺接し、所定角度回転する。この時、図１０に示すように、パッキン７のヒレ部８は排水栓２の上面と当接することによって上方へ向けて反り返り、ヒレ部８の上面が弁体５の当接面９と当接する。しかし、当接面９には張り付き防止機構としての突起部２５が形成されているため、ヒレ部８の上面と弁体５の当接面９との間には僅かな隙間が形成され、真空状態にならない。
上記押動操作が終了すると、ロック軸１２及び回転カム１３はスプリング１９の反発によって上昇する。そして、回転カム１３の回転歯１４は当該スプリング１９の反発によって上部ギア１６の傾斜歯１６ａに押し付けられて摺接することで所定角度回転するとともに、係止歯１６ｂと噛合する。（図１１（ａ））この時、弁体５は図１０から図１２に示す状態へと移行し、弁体５は回転カム１３と固定カム１５（上部ギア１６）の噛合によって下降状態が保持される。又、この時ヒレ部８は排水栓２との当接しつつ漸次変形することにより、パッキン７と排水口１の周縁（排水栓２）との密接を維持し続ける。即ち、パッキン７は可撓性を有するヒレ部８が弾性変形することにより、弁体５が最大まで下降した状態から、回転カム１３と上部ギア１６が噛合する高さ位置までの高さＨを吸収する。尚、図１２においては、弁体５が最大まで下降した状態を２点鎖線にて示している。
【００４４】
上記弁体５の下降状態より、再び弁体５に押動操作が加えられると、ロック軸１２及び回転カム１３が押し下げられて回転カム１３の回転歯１４が下部ギア１７の傾斜歯１７ａと摺接し、所定角度回転することで上部ギア１６の係止歯１６ｂとの噛合が解除される。この時、弁体５は再び図１０に示す状態となり、ヒレ部８は排水栓２に押し付けられることによって大きく変形するが、当接面９には突起部２５が形成されているため、例え槽体Ｂ内に湯水が貯留されている状態で弁体５に押動操作が加えられたとしてもヒレ部８が弁体５の当接面９に張り付いたままになってしまうことはない。
上記押動操作が終了すると、ロック軸１２及び回転カム１３はスプリング１９の反発によって上昇するとともに、回転カム１３の回転歯１４は上部ギア１６の傾斜歯１６ａに押し付けられて摺動し、カム溝１８内へと収納される（図１１（ｂ））ため、弁体５はスプリング１９の付勢によって上昇状態が保持される。又、パッキン７は排水栓２より離間し、排水口１が開口されるが、当該パッキン７は突起部２５によって当接面９との張り付きが防止されているため、当接面９に張り付くことなく元の状態へと復帰することができる。
【００４５】
本発明の第一実施形態は以上のように、スラストロック機構１０によって弁体５の上昇状態と下降状態を切り替える構造である。従って、図１１及び図１２に示すように、弁体５を下降状態に切り換える時、弁体５は最大まで押し下げられた後に、回転カム１３の回転歯１４と上部ギア１６の係止歯１６ｂが噛合する高さ位置までの高さＨ分、上昇する。しかし、本発明はパッキン７が可撓性を有するヒレ部８を備え、当該ヒレ部８が弾性変形することにより、当該高さＨを吸収し、弁体５が排水口１の閉塞状態を維持することができる。
そして、当該弾性変形時において、ヒレ部８の上面と弁体５の当接面９とが当接することがあっても、当接面９には張り付き防止機構として突起部２５が形成されていることから、ヒレ部８が当接面９に張り付いたままとなることを防ぐことができる。尚、槽体Ｂ内に湯水が貯留されている状態で弁体５に押動操作が加えられたとしても、ヒレ部８上面と当接面９との間に突起部２５によって僅かな隙間が形成されているため、ヒレ部８上面と当接面９との間に侵入した湯水等は当該隙間より排出される、又は当該隙間より空気が流入し、表面張力による真空状態が生じることはない。又、突起部２５の外端はパッキン７の外径よりも外側に配置されているため、ヒレ部８が弾性変形した際、当接面９との間に必ず隙間を形成することが可能となるとともに、当該弾性変形したヒレ部８と突起部２５の端部に引っ掛かることを防ぐことが可能となる。
【００４６】
以下に、本発明の第三実施形態について説明する。尚、以下に記載する第三実施形態においては、弁体５及びパッキン７のみが上記第一実施形態と異なるものであり、その他の部材に関しては上記第一実施形態と同様の番号を付してその記載を省略する。
【００４７】
図１３に示すように、弁体５は周囲にパッキン７が嵌着されているとともに、ロック機構としてのスラストロック機構１０の上端が裏面に取り付けられた蓋部材であり、上記排水栓２上端とパッキン７が密接することによって排水口１を水密に閉塞する。
【００４８】
パッキン７は断面視略Ｌ字状であって、弁体５の外周に嵌着される筒状部３０と、筒状部３０の下端から外側に向けて延設された肉薄のヒレ部８から構成されており、ヒレ部８は排水栓２と当接した際に変形する程度の可撓性を備えている。尚、本実施形態において、筒状部３０の外周面はヒレ部８が弾性変形した際に当接する当接面９であり、当該当接面９に張り付き防止機構としての突起部２５が形成されている。突起部２５は当接面９において１２０度毎に３箇所形成された突条であり、当接面９の軸方向（上下方向）に延設されている。
【００４９】
弁体５に押動操作が加えられる等の理由によって、上記第三実施形態のパッキン７が排水栓２と当接した時、ヒレ部８は上方へ向けて反り返り、ヒレ部８の上面がパッキン７の当接面９と当接する。しかし、当接面９には張り付き防止機構としての突起部２５が形成されているため、ヒレ部８の上面とパッキン７の当接面９との間には僅かな隙間が形成され、真空状態にならない。
【００５０】
上記第三実施形態は以上であるが、本願発明は上記各実施形態の形状に限られるものではなく、発明の要旨を逸脱しない範囲において適宜設計変更等を行うことが可能である。
例えば、上記各実施形態において、張り付き防止機構は突条に形成された突起部又は溝部であったが、張り付き防止機構は１つ以上の凸部から構成されていても良く、又、１つ以上の凹部から構成されていても良い。又、凹凸や段差、シボ加工、当接面を波状に形成する等によって構成されていても良い。
又、張り付き防止機構はヒレ部８が当接する当接面９に形成されていたが、ヒレ部８側に形成されていても良く、又、当接面９とヒレ部８の両方に形成されていても良い。
又、張り付き防止機構は必ずしも弁体５やパッキン７に形成されている必要はなく、弁体５とパッキン７との間に張り付き防止機構を備えた別部材を配置する等しても良い。
【００５１】
又、上記各実施形態において、ロック機構はスラストロック機構１０であったが、スラストロック機構１０に換えて、特許文献１にて記載されているワンウェイカムその他の公知のロック機構であっても良い。又、本発明の止水構造は必ずしもロック機構を備える必要はなく、ロック機構を備えないゴム栓等に採用されても良い。
【００５２】
又、上記各実施形態において、排水具は弁体５であったが、図１４に示すように、キッチンシンク等の槽体の排水口を閉塞し、槽体内に湯水を貯留するための止水蓋３５が排水具であっても良く、又、それ以外の部材を排水具としても良い。
【符号の説明】
【００５３】
１      排水口
２      排水栓
３      接続配管
５      弁体
６      溝部
７      パッキン
８      ヒレ部
９      当接面
１０    スラストロック機構
１１    ケーシング
１２    ロック軸
１３    回転カム
１４    回転歯
１５    固定カム
１６    上部ギア
１６ａ  傾斜歯
１６ｂ  係止歯
１７    下部ギア
１７ａ  傾斜歯
１８    カム溝
１９    スプリング
２０    下部部材
２１    目皿
２５    突起部
３０    筒状部
３５    止水蓋
Ｂ      槽体
【図１】
0006682071.tif 000002
【図２】
0006682071.tif 000003
【図３】
0006682071.tif 000004
【図４】
0006682071.tif 000005
【図５】
0006682071.tif 000006
【図６】
0006682071.tif 000007
【図７】
0006682071.tif 000008
【図８】
0006682071.tif 000009
【図９】
0006682071.tif 000010
【図１０】
0006682071.tif 000011
【図１１】
0006682071.tif 000012
【図１２】
0006682071.tif 000013
【図１３】
0006682071.tif 000014
【図１４】
0006682071.tif 000015
【図１５】
0006682071.tif 000016
【図１６】
0006682071.tif 000017
【図１７】
0006682071.tif 000018
【図１８】
0006682071.tif 000019
【図１９】
0006682071.tif 000020